(57)【特許請求の範囲】
【請求項１】
弾性変形可能な材料からなり、内部に収容空間が形成された本体と、
上記収容空間内で所定の回転中心軸の周りに回転可能な状態で当該収容空間に嵌め合わされたコア部と、
上記本体に回転可能に連結され且つ上記コア部が固定された操作部とを有し、
上記コア部は、回転されることによって上記回転中心軸に直交する方向の外形寸法が変化する楕円形頭部を備えている栓体。
【請求項２】
上記本体は、ブランクの端部に圧入され得る硬度のゴムないし樹脂からなり、
上記コア部は、断面が楕円形の柱状に形成された頭部及び当該頭部に延設された軸部を有し、
上記収容空間は、上記本体の一端面から内部に延びるように形成され、上記軸部が嵌合し得る支持孔及び当該支持孔に連続し、上記コア部を収容保持し得る保持孔を含み、
上記軸部は上記本体に上記一端面から挿通され且つ上記支持孔に回転自在に支持されており、上記頭部は上記保持孔を区画する壁面と摺動自在な状態で囲繞保持されている請求項１に記載の栓体。
【請求項３】
上記本体は筒状に形成され、上記収容空間が上記本体の外面に開口している請求項１又は２に記載の栓体。
【発明の詳細な説明】
【技術分野】
【０００１】
この発明は、釣竿を構成するブランクの端部に装着される栓体の構造に関するものである。
【背景技術】
【０００２】
たとえば釣竿は、単一の棒状部材から構成される場合もあるが、一般には外径及び内径が異なる複数のブランクからなる。釣竿がｎ本のブランクから構成される場合は、各ブランクは、外径が小さいものから順に第１番節、第２番節と称され、最も外径が大きいブランクが元節、この元節に隣り合うブランクが元上節と称される。
【０００３】
各ブランクが振出方式あるいは継ぎ方式で連結されることにより、所定の長さの釣竿として使用される。振出方式では、各ブランクがいわゆる入れ子形式で組み合わされ、第１番節が第２番節から引き出され、第２番節が第３番節から引き出され、同様に、隣り合うブランクのうち小径のブランクが大径のブランクから引き出されることによって当該釣竿が伸長する。また、継ぎ方式では、小径のブランクの後端部が大径のブランクの先端部に嵌め合わされることによって伸長状態の釣竿が形成される。
【０００４】
釣竿が使用されないときには、各ブランクは入れ子形式で収納される。すなわち、大径のブランクの中に小径のブランクが収容される。釣竿は、元節の先端に装着される栓部材を備えている場合がある。この栓部材は、釣竿が収納状態にあるときに元節に嵌め込まれることにより、元節に収容されているブランクが飛び出すことを防止する。
【０００５】
ところで、釣竿の機種は、ターゲットとなる魚の種類や釣場環境に対応するためにきわめて多様である。そのため、元節の外径及び内径も釣竿の機種によって異なる。したがって、従来の栓部材は当該機種に対応した専用設計がなされており、栓部材及び釣竿のコストアップにつながっていた。従来では、かかる問題が解決されるために、元節の内径が変化したとしても、これに対応することができる栓部材が提案されている（たとえば、特許文献１〜特許文献４参照）。
【先行技術文献】
【特許文献】
【０００６】
【特許文献１】特開２００７−１４３４７４号公報
【特許文献２】特開２００２−１７２１０号公報
【特許文献３】特開平１０−１９１８４２号公報
【特許文献４】特開平７−７９６６７号公報
【発明の概要】
【発明が解決しようとする課題】
【０００７】
しかしながら、従来の栓体は、元節の内径の変化に対応するために、単に弾性変形可能な材料から構成されていたり、より弾性変形がしやすいように栓体に襞が形成されているのみである。したがって、従来の栓体は、元節に装着されても当該元節から脱落しやすいという問題があった。
【０００８】
そこで、本発明の目的は、元節の内径の変化に対応して確実に元節に固定され得る栓体を提供することである。
【課題を解決するための手段】
【０００９】
(1) 本発明に係る栓体は、弾性変形可能な材料からなり、内部に収容空間が形成された本体と、上記収容空間内で所定の回転中心軸の周りに回転可能な状態で当該収容空間に嵌め合わされたコア部と、上記本体に回転可能に連結され且つ上記コア部が固定された操作部とを有する。上記コア部は、回転されることによって上記回転中心軸に直交する方向の外形寸法が変化する楕円形頭部を備える。
【００１０】
この構成によれば、コア部が本体に嵌め合わされた状態で、当該コア部は、当該本体の収容空間内で回転することができる。このコア部に操作部が固定されており、この操作部は、上記本体に回転可能に連結されている。したがって、操作部が回転操作されることにより、上記コア部が上記収容空間内で回転する。このコア部が上記回転中心軸の周りに回転すると上記楕円形頭部も回転し、当該コアの回転中心軸に直交する方向の外形寸法が変化する。上記本体は弾性変形が可能であるから、回転するコアによって上記本体の外形寸法も変化される。
【００１１】
(2) 上記本体は、ブランクの端部に圧入され得る硬度のゴムないし樹脂から構成されるのが好ましい。上記コア部は、断面が楕円形の柱状に形成された頭部及び当該頭部に延設された軸部を備えていてもよい。上記収容空間は、上記本体の一端面から内部に延びるように形成され、上記軸部が嵌合し得る支持孔及び当該支持孔に連続し、上記コア部を収容保持し得る保持孔を備えていてもよい。上記軸部は上記本体に上記一端面から挿通され且つ上記支持孔に回転自在に支持されており、上記頭部は上記保持孔を区画する壁面と摺動自在な状態で囲繞保持されているのが好ましい。
【００１２】
この構成では、本体が上記材料からなるため、ブランクの端部に確実に圧入状態で固定される。また、上記コア部の軸部が上記支持孔に嵌め合わされた状態で上記本体に支持され、しかも、上記コア部の頭部が上記保持孔を区画する壁面によって囲繞保持されている。すなわち、上記コア部及び本体によって軸及び軸受けの構造が形成されており、コア部が確実に本体に支持され且つ当該本体に対して回転自在となっている。このため、コア部の回転に応じて本体の外形寸法が変化する。
【００１３】
(3) 上記本体は筒状に形成され、上記収容空間が上記本体の外面に開口しているのが好ましい。
【００１４】
この構成によれば、コア部を本体に嵌め込む作業が簡単であり、栓体の製造が容易になる。
【発明の効果】
【００１５】
この発明によれば、コア部が回転することにより本体の外形寸法が変化するので、操作部が回転操作されることにより本体の外形寸法が調整され得る。したがって、本体がブランクの端部に嵌め込まれる場合に、当該端部の内径に応じて本体の外形寸法が変化されるので、内径が異なるさまざまなブランクに対して栓体が確実に固定される。
【図面の簡単な説明】
【００１６】
【図１】図１は、本発明の一実施形態に係る栓体１０を示す図である。
【図２】図２は、図１におけるＩＩ−ＩＩ断面図である。
【図３】図３は、コア部材１２が回転したときの本体１１の挙動を示す図である。
【発明を実施するための形態】
【００１７】
以下、本発明の好ましい実施形態が、適宜図面が参照されながら説明される。
【００１８】
図１は、本発明の一実施形態に係る栓体１０を示す図である。（ａ）は正面図、（ｂ）は右側面図、（ｃ）は左側面図である。また、図２は、図１におけるＩＩ−ＩＩ断面図である。
【００１９】
この栓体１０は、主として複数のブランクからなる釣竿に装着されるものであって、釣竿を構成するブランク（典型的には元節）の端部に圧入固定される。なお、複数のブランクは振出形式又は継ぎ形式で連結され、所定長さの釣竿が構成される。この栓体１０の特徴とするところは、当該栓体１０の外形寸法がブランクの内径に対応して適切に変更されるようになっており、これにより、当該栓体１０が様々な機種の釣竿等について共通部品として機能することができるようになっている。
【００２０】
栓体１０は、本体１１と、コア部材１２（請求項に記載された「コア部」に対応）と、操作キャップ１３（請求項に記載された「操作部」に対応）とを備えている。コア部材１２は、図２が示すように本体１１の内部に嵌め込まれている。コア部材１２の端部（図中の右端部）は本体１１から突出しており、このコア部材１２に操作キャップ１３が設けられている。操作キャップ１３が回転されるとコア部材１２も回転し、これにより、本体１１の外形が後述のように変形するようになっている。
【００２１】
本体１１は、アクリロニトリルブタジエンゴム（ＮＢＲ）、ウレタンゴム（Ｕ）その他のゴムのほかエチレン酢酸ビニル共重合体（ＥＶＡ）その他の樹脂から構成され得る。なお、本体１１を構成する材料は、弾性変形しやすいものであれば特に限定されない。具体的には、本体１１を構成するゴム又は樹脂の硬度は７０（ＪＩＳ  Ｋ６２５３  タイプＡデュロメータ硬度）が好ましい。ただし、本体１１の硬度は、６０〜８０の範囲で適宜設定され得る。
【００２２】
本実施形態では、本体１１は円筒状に形成されており、軸方向１４（請求項に記載された「回転中心軸」に対応）に沿って内部に収容室１５（請求項に記載された「収容空間」に対応）が形成されている。図２が示すように、この収容室１５は、支持孔１６と保持孔１７とを備えており、両者は、軸方向１４に沿って連続している。支持孔１６は本体１１の一端面１８に開口を有し、当該開口から本体１１の内側に延びている。保持孔１７は本体１１の他端面１９に開口を有し、当該開口から本体１１の内側に延びている。保持孔１７は、本体１１の内部で支持孔１６と連通している。
【００２３】
支持孔１６は円形に形成されており、支持孔１６の内径は、後述されるコア部材１２の軸部２０の外径に対応している。また、保持孔１７は、図１（ｃ）が示すように楕円形に形成されている。保持孔１７の形状は、後述されるコア部材１２の頭部２１の形状に対応している。すなわち、この保持孔１７を区画する壁面２２によって当該保持孔１７が楕円形を呈しており、この壁面２２が上記頭部２１を囲繞し保持するようになっている。
【００２４】
コア部材１２は、金属又は硬度が９０（ＪＩＳ  Ｋ６２５３  タイプＡデュロメータ硬度）以上の樹脂から構成され得る。なお、コア部材１２を構成する材料は特に限定されるものではなく、当該コア部材１２が本体１１と接触した場合に本体１１を弾性変形させるために十分な硬度を備えたものであればよい。図２及び図１（ｃ）が示すように、コア部材１２は上記軸部２０及び上記頭部２１を有し、両者は連続している。
【００２５】
軸部２０は断面が円形の円柱状に形成されている。頭部２１は、断面形状が楕円形に形成された柱状に形成されている。軸部２０の中心軸と頭部２１の中心軸とが一致した状態で両者が一体的に形成されている。コア部材１２は、図２が示すように本体１１の収容室１５に嵌め込まれ、この状態で、軸部２０及び頭部２１の中心軸は、上記軸方向１４に沿って配置される。具体的には、軸部２０が上記収容室１５の支持孔１６を貫通し、当該支持孔１６の内壁面によって支持される。また、頭部２１が上記保持孔１７内に配置され、保持孔１７を区画する壁面２２によって囲繞され保持される。ただし、この状態で、頭部２１は、壁面２２と摺動可能である。したがって、軸部２０が回転されると頭部２１も回転するが、当該頭部２１が楕円形状であるから、上記保持孔１７が頭部２１によって押圧され変形される。
【００２６】
図２が示すように、操作キャップ１３は、上記軸部２０の端面２３に固定されている。この操作キャップ１３は、円形の器状に形成されており（図１参照）、本体１１の端部に外嵌されている。操作キャップ１３は、本体１１に対して回転することが可能である。したがって、操作キャップ１３が回転されると、上記軸部２０及び頭部２１も収容室１５内で回転することになる。
【００２７】
栓体１０の組立要領は、次のとおりである。すなわち、コア部材１２が本体１１の収容室１５に嵌め込まれる。このとき、コア部材１２の軸部２０が保持孔１７側から支持孔１６側へ挿入される。軸部２０が支持孔１６を貫通した状態で、コア部材１２の頭部２１が保持孔１７にぴったりと嵌め合わされる（図２及び図１（ｃ）参照）。上記支持孔１６を貫通した軸部２０に操作キャップ１３が固定され、当該操作キャップ１３が本体１１に嵌め合わされる。
【００２８】
図３は、操作キャップ１３が回転され、上記軸部２０及び頭部２１が回転したときの本体１１の挙動を示す図である。
【００２９】
同図（ａ）が示すように、コア部材１２の頭部２１が楕円形状を呈しているから、当該頭部２１のＮ１方向及びＮ２方向の外形寸法は異なる。ここで、Ｎ１方向とは、上記軸方向１４に直交する方向であり、Ｎ２方向とは、Ｎ１方向に直交し且つ上記軸方向１４にも直交する方向である。すなわち、頭部２１のＮ１方向の外形寸法はＬ２であり、Ｎ２方向の外形寸法はＬ１（Ｌ２＞Ｌ１）である。同図において、コア部材１２が軸方向１４（紙面に垂直な方向）の周りに回転されると、頭部２１のＮ１方向の外形寸法Ｌ２及びＮ２方向の外形寸法Ｌ１が変化する。
【００３０】
頭部２１が９０°（ｄｅｇｒｅｅ）だけ回転されると、頭部２１が保持孔１７の壁面２２に囲繞されているから、当該頭部２１が当該壁面２２を押圧し、本体１１を変形させる。具体的には、同図（ｂ）が示すように、頭部２１によって本体１１がＮ２方向に伸ばされてＮ２方向の外形寸法Ｌ１が寸法２ｓだけ大きくなる。すなわち、操作キャップ１３が回転操作されることにより、本体１１の外形が寸法２ｓだけ拡縮する。
【００３１】
本実施形態に係る栓体１０がブランクの先端に嵌め込まれるとき、この栓体１０の本体１１の外形寸法が変化するから、内径が異なるさまざまなブランクに対して確実に装着固定される。これにより、当該栓体１０がさまざな機種の釣竿等に共通部品として使用され得る。
【００３２】
特に本実施形態では、本体１１が弾性変形しやすいゴムや樹脂からなるので、栓体１０はブランクに確実に圧入状態で固定され得る。したがって、ブランクの内径にかかわらず栓体１０がブランクから容易に脱落することが防止される。
【００３３】
加えて、操作キャップ１３の回転角度は、コア部材１２の回転角度に等しいから、操作キャップ１３の回転角度に応じて本体１１の外形寸法が変化する。したがって、本体１１の外形寸法がブランクの内径に対応して適切に調整され得る。
【００３４】
さらに、本実施形態では、コア部材１２が収容される収容室１５は、本体１１の一端面１８及び他端面１９に開口しており、本体１１が筒状に形成されているので、コア部材１２を本体１１に嵌め込む作業が簡単であり、栓体１０の組立作業が容易であるという利点がある。
【符号の説明】
【００３５】
１０・・・栓体
１１・・・本体
１２・・・コア部材
１３・・・操作キャップ
１４・・・軸方向
１５・・・収容室
１６・・・支持孔
１７・・・保持孔
１８・・・一端面
１９・・・他端面  
２０・・・軸部
２１・・・頭部  
２２・・・壁面
２３・・・端面
【図１】
0005474715.tif 000002
【図２】
0005474715.tif 000003
【図３】
0005474715.tif 000004